(57)【要約】【課題】部屋に居ながらにして郵便箱に投函された郵便物の内容を確認することができるインターホンシステムを提供する。【解決手段】郵便箱７に内部の様子を撮像するカメラ７２が内蔵され、インターホンシステム１の親機２と接続される。ユーザは、カメラ７２によって撮像された画像を親機２のモニタ装置を用いて見ることにより、部屋に居ながらにして郵便箱７に投函された郵便物の内容を確認する。【選択図】図１
2011155375.tif 000002
【特許請求の範囲】
【請求項１】
玄関に配設された子機と、室内に配設され、前記子機と無線又は有線で接続された親機との間で通話を行うインターホンシステムにおいて、
郵便箱に配設され、前記郵便箱の内部を撮像する第１カメラを備え、前記親機又は子機と無線又は有線で接続されて、該親機から前記郵便箱の内部を画像にて確認可能としたことを特徴とするインターホンシステム。
【請求項２】
前記郵便箱には、郵便物の投函を検知する郵便物センサが配設され、
前記郵便物センサによって郵便物の投函が検知されたとき、前記第１カメラは前記郵便箱の内部を撮像することを特徴とする請求項１に記載のインターホンシステム。
【請求項３】
前記子機は、前記郵便物センサによって郵便物の投函が検知されたとき、玄関付近を撮像する第２カメラを有することを特徴とする請求項１又は請求項２に記載のインターホンシステム。
【請求項４】
前記親機又は子機は、前記第１カメラ及び／又は前記第２カメラによって撮像された画像のデータを記録する記録部を有することを特徴とする請求項１乃至請求項３のいずれか一項に記載のインターホンシステム。
【請求項５】
前記親機は、外部情報処理端末と無線又は有線で接続されており、
前記郵便物センサによって郵便物の投函が検知されたとき、前記外部情報処理端末にその旨の通知を行うことを特徴とする請求項２に記載のインターホンシステム。
【請求項６】
前記親機は、前記外部情報処理端末に前記第１カメラ及び／又は前記第２カメラによって撮像された画像のデータを送信することを特徴とする請求項５に記載のインターホンシステム。
【発明の詳細な説明】
【技術分野】
【０００１】
本発明は、住宅内の通信システムとして配設されるインターホンシステムに関するものである。
【背景技術】
【０００２】
住宅内の各部屋間で相互に通信を行うシステムとして、インターホンシステムが広く普及している。従来のインターホンシステムは、玄関を訪れた来客や各部屋に居るユーザによって操作され、撮像した玄関付近の映像を表示したり収録した音声を出力することにより相互に通話を行うことを主な機能としていた。
【０００３】
このようなインターホンシステムに組み込む種々の機能が検討されている。例えば、特許文献１には、郵便物が投函されたことを郵便箱に設けたセンサで検知して、子機から親機に敷設されているケーブルを介して親機に通知する技術が示されている。
【先行技術文献】
【特許文献】
【０００４】
【特許文献１】特開２０００−２７８４２９号公報
【発明の概要】
【発明が解決しようとする課題】
【０００５】
しかしながら、上記特許文献１に示された技術においては、郵便物が投函されたという事実を知ることができるが、投函された郵便物の内容を知ることができないため、郵便物の内容を確認するためには、わざわざ郵便箱まで出向く必要があった。特に、マンションにおいては、各部屋から集合玄関の付近に集中的に設けられた郵便箱まで離れていたり、階層が異なっていたりするため、郵便物の到着を待ち望んでいるユーザに過度の負担を強いることがあった。
【０００６】
本発明は、上記課題を解決するためになされたものであり、部屋に居ながらにして郵便箱に投函された郵便物の内容を確認することができるインターホンシステムを提供することを目的とする。
【課題を解決するための手段】
【０００７】
上記目的を達成するために請求項１の発明は、玄関に配設された子機と、室内に配設され、前記子機と無線又は有線で接続された親機との間で通話を行うインターホンシステムにおいて、郵便箱に配設され、前記郵便箱の内部を撮像する第１カメラを備え、前記親機又は子機と無線又は有線で接続されて、該親機から前記郵便箱の内部を前記第１カメラによって撮像された画像にて確認可能としたことを特徴とする。
【０００８】
請求項２の発明は、請求項１に記載のインターホンシステムにおいて、前記郵便箱には、郵便物の投函を検知する郵便物センサが配設され、前記郵便物センサによって郵便物の投函が検知されたとき、前記第１カメラは前記郵便箱の内部を撮像することを特徴とする。
【０００９】
請求項３の発明は、請求項１又は請求項２に記載のインターホンシステムにおいて、前記子機は、前記郵便物センサによって郵便物の投函が検知されたとき、玄関付近を撮像する第２カメラと接続されていることを特徴とする。
【００１０】
請求項４の発明は、請求項１乃至請求項３のいずれか一項に記載のインターホンシステムにおいて、前記親機又は子機は、前記第１カメラ及び／又は前記第２カメラによって撮像された画像のデータを記録する記録部を有することを特徴とする。
【００１１】
請求項５の発明は、請求項２に記載のインターホンシステムにおいて、前記親機は、外部情報処理端末と無線又は有線で接続されており、前記郵便物センサによって郵便物の投函が検知されたとき、前記外部情報処理端末にその旨の通知を行うことを特徴とする。
【００１２】
請求項６の発明は、請求項５に記載のインターホンシステムにおいて、前記親機は、前記第１カメラ及び／又は前記第２カメラによって撮像された画像のデータを前記外部情報処理端末に送信することを特徴とする。
【発明の効果】
【００１３】
請求項１の発明によれば、親機を操作することにより、郵便箱まで出向くことなく、部屋に居ながらにして郵便箱に投函された郵便物の内容を確認することができる。これにより、マンション等のように、各部屋から郵便箱まで離れていたり、階層が異なっている場合であっても、郵便物の到着を待ち望んでいるユーザの負担を低減できる。
【００１４】
請求項２の発明によれば、郵便物センサによって郵便物の投函が検知されたとき、第１カメラが郵便箱の内部を撮像するので、インターホンシステムの利便性が高められる。また、カメラの動作を必要最小限に留めることが可能となり、消費電力の低減を図ることができる。
【００１５】
請求項３の発明によれば、郵便物センサによって郵便物の投函が検知されたとき、第２カメラが玄関付近を撮像するので、ユーザは郵便物を投函した人物を部屋に居ながらにして確認でき、インターホンシステムの利便性が高められる。
【００１６】
請求項４の発明によれば、ユーザは記録部に記録されたデータを再生することにより、第１カメラ及び／又は第２カメラによって撮像された画像を、後から確認することができる。これにより、郵便物が投函されたとき、親機の周辺にユーザが居合わせない場合であっても、郵便物の内容や投函した人物を後ほど確認することが可能となり、インターホンシステムの利便性がより一層高められる。
【００１７】
請求項５の発明によれば、ユーザは、親機が配設されている室内から離れていても、外部情報処理端末を介して郵便物の投函を知得できるようになり、インターホンシステムの利便性がより一層高められる。
【００１８】
請求項６の発明によれば、ユーザは、親機が配設されている室内から離れていても、外部情報処理端末を介して郵便物の内容や投函した人物を確認することが可能となり、インターホンシステムの利便性がより一層高められる。
【図面の簡単な説明】
【００１９】
【図１】本発明の一実施形態によるインターホンシステムの構成を示す図。
【図２】同システムに適用される親機の構成を示すブロック図。
【図３】同システムに適用される副親機の構成を示すブロック図。
【図４】同システムに適用される子機の構成を示すブロック図。
【図５】同システムに適用される郵便箱の電気的構成を示すブロック図。
【図６】同システムの動作の一例を時系列で示すタイムチャート。
【図７】同システムの別な動作の一例を時系列で示すタイムチャート。
【図８】同システムのさらに別な動作の一例を時系列で示すタイムチャート。
【図９】同システムの留守モードにおける動作の一例を時系列で示すタイムチャート。
【図１０】同システムの転送モードにおける動作の一例を時系列で示すタイムチャート。
【発明を実施するための形態】
【００２０】
本発明の一実施形態によるインターホンシステムについて図面を参照して説明する。図１はインターホンシステムの概略構成を示している。インターホンシステム１は、親機２と、副親機３、４と、子機５と、ライト付センサーカメラ（第２カメラ）６と、郵便箱７等を備えている。
【００２１】
親機２は、１階のリビングルーム等に配設され、副親機３、４及び子機５の他、郵便箱７等と接続されている。本実施形態においては、それぞれの接続は有線によってなされているが、無線で接続されていてもよい。また、親機２は、窓開閉センサ１２、人体検知センサ１３、非常用発信器１４及び照明制御装置１５、１６等の住宅用設備機器とも無線によって接続されている。
【００２２】
副親機３、４は、親機２とは異なる部屋に配設されている。例えば、副親機３、４は、寝室や子供部屋等に配設されている。親機２、副親機３、４、子機５は、それぞれマイク装置２５、３３、５２とスピーカ装置２６、３４、５３等を備えており（図２、３、４参照）、ユーザは親機２、副親機３、４、子機５を介して相互に通話可能とされている。子機５及びライト付センサーカメラ６は、玄関等に配設され、来客を検知し、親機２に通知する。ライト付センサーカメラ６によって撮像された画像は、親機２及び副親機３、４に転送される。郵便箱７は、玄関等に配設され、投函された郵便等を収容する。本実施形態において郵便箱７は、親機２と直接接続されているが、子機５を介して親機２と接続されていてもよく、この場合は、インターホンシステム１を構成する配線を簡素化し、その配設作業を容易なものとすることができる。
【００２３】
窓開閉センサ１２は、主要な窓の開閉を検知して、親機２に通知する。人体検知センサ１３は、各部屋に配設され、赤外線等を検知することにより、人体の存在を検知し、親機２に通知する。非常用発信器１４は、トイレや浴室に配設され、非常事態が発生したことを親機２に通知する。照明制御装置１５、１６は、各部屋に配設され、親機２又は副親機３、４から発信された制御信号に基づいて各部屋の照明装置１７、１８を制御する。親機２から副親機３、４を介して照明制御装置１６に制御信号を発信するように構成してもよい。
【００２４】
図２は、親機２の構成を示している。親機２は、副親機３、４、子機５が接続され、相互に通信を行う送受信部２１と、窓開閉センサ１２、人体検知センサ１３、非常用発信器１４と接続され、各センサ等から無線送信された信号を受信する無線受信部２３と、照明制御装置１５と無線接続され、制御信号を送信する無線送信部２４と、ユーザの音声を収録するマイク装置２５と、音声や各種の報知音を出力するスピーカ装置２６と、ライト付センサーカメラ６又は郵便箱７のカメラ７２によって撮像された画像等を出力するモニタ装置２７と、ユーザによって操作される操作部２８と、各部の制御を司る制御部２９と、ライト付センサーカメラ６及び郵便箱７から送信された画像データを記録する記録部２Ｂ等によって構成されている。操作部２８は、親機２の筐体に設けられたボタンの他、モニタ装置２７に形成されたタッチパネル等によって構成される。
【００２５】
図３は、副親機３の構成を示している。副親機４も副親機３と同等の構成であるため、説明は省略する。副親機３は、親機２、副親機４が接続され、相互に通信を行う送受信部３１と、照明制御装置１６と無線接続され、制御信号を送信する無線送信部３２と、ユーザの音声を収録するマイク装置３３と、音声や各種の報知音を出力するスピーカ装置３４と、映像を出力するモニタ装置３５と、ユーザによって操作される操作部３６と、各部の制御を司る制御部３７等によって構成されている。操作部３６は、副親機３の筐体に設けられたボタンの他、モニタ装置３５に形成されたタッチパネル等によって構成される。また、親機２の記録部２Ｂと同等の構成が副親機３に設けられていてもよい。
【００２６】
図４は、子機５の構成を示している。子機５は、親機２、副親機４が接続され、親機２、３及び副親機４と相互に通信を行う送受信部５１と、ユーザの音声を収録するマイク装置５２と、音声や各種の報知音を出力するスピーカ装置５３と、ユーザによって操作される操作部５４と、各部の制御を司る制御部５５と、子機５の周辺を撮像するカメラ５６等によって構成されている。また、親機２の記録部２Ｂと同等の構成が子機５に設けられていてもよい。
【００２７】
図５は、郵便箱７の電気的構成を示している。郵便箱７は、親機２が接続され、親機２と相互に通信を行う送受信部７１と、郵便箱７の内部を撮像するカメラ（第１カメラ）７２と、カメラ７２による撮像の際に必要に応じて郵便箱７の内部を照明するライト７３と、郵便箱７に郵便物が投函されていることを報知するＬＥＤ７４と、郵便箱７に郵便物が投函されたことを検知する郵便物センサ７５と、各部の制御を司る制御部７６等によって構成されている。郵便物センサ７５としては、例えば赤外線センサや重量センサを適用することができる。
【００２８】
図６は、インターホンシステム１の動作の一例を示している。図中上から下に向かって時間が進行する。来客によって子機５が操作されると、子機５から親機２に対してその旨の信号が送信される。来客の通知を受けた親機２は、その旨の報知音をスピーカ装置２６から鳴動させる。その後、郵便箱７に郵便物が投函されると郵便物センサ７５が郵便物を検知して、制御部７６は、親機２に対してその旨の信号を送信させる。郵便物の投函の通知を受けた親機２は、その旨の報知音をスピーカ装置２６から鳴動させる。そして報知音を聞いたユーザによってモニタ装置２７のタッチパネル等が操作され、郵便物を撮像する旨の命令が制御部２９に入力されると、制御部２９はその旨の制御信号を郵便箱７に送信する。この制御信号を受けた郵便箱７の制御部７６は、カメラ７２を起動させて、郵便物を撮像させ、その画像データを親機２に送信させる。画像データを受信した親機２の制御部２９は、モニタ装置２７に郵便物の画像を表示させる。これにより、親機２を操作したユーザは、郵便箱７まで出向くことなく、親機２が設置された部屋に居ながらにして郵便箱７に投函された郵便物の内容を確認することができる。なお、図６においては、ユーザが親機２を操作することにより、撮像が開始されるように設定されているが、郵便物センサ７５が郵便物を検知したとき、自動的に撮像を開始するように構成されていてもよい。
【００２９】
図７は、インターホンシステム１の別な動作を示している。最初に郵便物の投函の通知を受けた親機２が、その旨の報知音をスピーカ装置２６から鳴動させる動作までは、図６と同様である。報知音を鳴動させた親機２は、郵便物を撮像する旨の制御信号を郵便箱７に送信する。この制御信号を受けた郵便箱７の制御部７６は、カメラ７２を起動させて、郵便物を撮像させ、その画像信号を親機２に送信させる。画像信号を受信した親機２の制御部２９は、記録部２Ｂに郵便物の画像を録画保存させる。制御部２９及び制御部７６は、所定の時間毎に郵便物の静止画像を撮像し録画保存するように構成されていてもよいし、所定の時間だけ継続して郵便物の動画像を撮像し録画保存するように構成されていてもよい。その後、さらに郵便物が投函されると、上記と同様に報知音の鳴動と郵便物の画像の録画保存を繰り返す。そして、ユーザによって親機２が操作されると、記録部２Ｂに録画した郵便物の画像をモニタ装置２７に表示して、録画データすなわち郵便物の内容の確認を行う。この動作においては、郵便物が投函されたときユーザが親機２から離れていても、後ほど録画した画像を再生することにより郵便物の内容を確認することができ、インターホンシステム１の利便性が高められる。
【００３０】
図８は、インターホンシステム１の別な動作を示している。郵便物の投函の通知を受けた親機２が、その旨の報知音をスピーカ装置２６から鳴動させる動作までは、図６と同様である。報知音の鳴動を聞くことにより郵便物の投函を知ったユーザによって親機２が操作され、玄関付近を撮像する旨の指示が入力されると、親機２の制御部２９は、その旨の制御信号をライト付センサーカメラ６に送信する。この制御信号を受信したライト付センサーカメラ６は撮像を開始し、画像データを親機２に送信する。ライト付センサーカメラ６から送信された画像データを受信した親機２の制御部２９は、玄関付近の様子を記録部２Ｂに録画保存する。そして、ユーザによって親機２が操作されると、記録部２Ｂに録画した玄関付近の画像をモニタ装置２７に表示して、録画データすなわち郵便物を投函した人物等の確認を行う。なお、本実施形態においては、親機２の制御部２９からは、子機５に対して周辺を撮像する旨の制御信号が子機５に送信され、これを受信した子機５の制御部５５は、カメラ５６によって子機５の周辺を撮像させ、その画像データを親機２に送信させる。ライト付センサーカメラ６及びカメラ５６によって撮像するため、郵便物を投函した人物等の確認が、より確実に行えるようになる。
【００３１】
図９は、インターホンシステム１の別な動作を示している。インターホンシステム１は種々の動作モードを設定することができ、その一例として、ユーザの外出時に設定される留守モードがある。留守モードにおいては、郵便箱７から郵便物の投函の通知を受けた親機２は、郵便箱７にＬＥＤ７４の点灯指示を通知する。留守モードの設定は、該機能を有効にする操作によりなされる。親機２から点灯指示の通知を受けた郵便箱７はＬＥＤ７４を点灯させて、帰宅したユーザに郵便物が届いている旨通知する。これにより、ユーザは、帰宅の際に郵便箱７を開けることなく、郵便物の有無を知ることができる。また、在宅時は、留守モードを解除することにより、不要なＬＥＤ７４の点灯を回避することができる。なお、図９においては、郵便箱７から郵便物の投函の通知を受けた親機２は、報知音を鳴動させないように構成されているが、郵便箱７にＬＥＤ７４の点灯指示を通知すると共に、報知音を鳴動させるように構成されていてもよい。
【００３２】
図１０は、インターホンシステム１が転送モードに設定された場合の動作を示している。転送モードとは、郵便物が投函された旨の通知を携帯電話機（外部情報端末）１９に送信して、外出先のユーザに知らせる機能であり、上述した留守モードと独立して又は併用して使用することができる。転送モードの設定は、該機能を有効にする操作及び携帯電話機１９の電話番号を入力することによりなされる。携帯電話機１９の替わりにパーソナルコンピュータ等の外部情報端末であってもよく、電話番号の替わりにメールアドレスであってもよい。
【００３３】
転送モードにおいて、郵便箱７から郵便物の投函の通知を受けた親機２は、その旨の報知音をスピーカ装置２６から鳴動させると共に、郵便物が投函された旨の情報を電話番号が入力されている携帯電話機１９に通知する。親機２は、インターネット等のネットワークに接続されており（図１参照）、ネットワークを介して携帯電話機１９等に接続される。携帯電話機１９を介して郵便物が投函された旨の情報の通知を受けたユーザは、携帯電話機１９を用いて画像を確認する旨の操作を行うことにより、携帯電話機１９から親機２にその旨の通知がなされ、それを受けた親機２は、郵便箱７にカメラ７２を用いて郵便物を撮像する旨の制御信号を送信する。郵便箱７の制御部７６は、親機２から送信された制御信号を受信すると、カメラ７２を起動して郵便物を撮像し、その画像データを親機２に送信する。親機２は郵便箱７から送信された画像データを携帯電話機１９に転送する。これにより、ユーザは携帯電話機１９を介して郵便物の画像を確認できるようになる。
【００３４】
以上のように、本実施形態によれば、親機２を操作することにより、郵便箱７まで出向くことなく、部屋に居ながらにして郵便箱７に投函された郵便物の内容を確認することができる。これにより、マンション等のように、各部屋から郵便箱まで離れていたり、階層が異なっている場合であっても、郵便物の到着を待ち望んでいるユーザの負担を低減できる。
【００３５】
また、郵便物センサ７５によって郵便物の投函が検知されたとき、カメラ７２が自動的に郵便箱７の内部を撮像するので、インターホンシステムの利便性が高められる。また、カメラ７２の動作を必要最小限に留めることが可能となり、消費電力の低減を図ることができる。また、郵便物センサ７によって郵便物の投函が検知されたとき、子機５のカメラ５６及びライト付センサーカメラ６が子機５の付近及び玄関付近を撮像するので、ユーザは郵便物を投函した人物を部屋に居ながらにして確認でき、インターホンシステムの利便性が高められる。
【００３６】
また、ユーザは記録部２Ｂに記録されたデータを再生することにより、カメラ５６、７２及び／又はライト付センサーカメラ６によって撮像された画像を、後から確認することができる。これにより、郵便物が投函されたとき、親機２の周辺にユーザが居合わせない場合であっても、郵便物の内容や投函した人物を後ほど確認することが可能となり、インターホンシステムの利便性がより一層高められる。
【００３７】
ユーザは、外出先等で親機２が配設されている室内から離れていても、携帯電話機１９等の外部情報処理端末を介して郵便物の投函を知得できるようになり、インターホンシステムの利便性がより一層高められる。
【００３８】
なお、本発明は上記実施形態の構成に限られることなく、少なくとも郵便箱７の内部を撮像するカメラ７２を備え、親機２と接続されて、親機２から郵便箱７の内部を画像にて確認可能なように構成されていればよい。また、本発明は種々の変形が可能であり、例えば、図６乃至図８において、副親機３を操作することにより、カメラ７２によって撮像された郵便箱７の内部の画像をモニタ装置３５によって確認できるように構成されていてもよい。また、図１０において、ライト付センサーカメラ６によって撮像された玄関付近の画像を携帯電話機を介して確認できるように構成されていてもよい。
【００３９】
また、カメラ７２又はライト付センサーカメラ６によって撮像される画像は、静止画であっても動画であってもよく、副親機３、４、子機５又は携帯電話機のメモリに記録されるように構成されていてもよい。
【符号の説明】
【００４０】
１    インターホンシステム
２    親機
３、４    副親機
５    子機
６    ライト付センサーカメラ（第２カメラ）
７    郵便箱
２６    スピーカ装置（通知部）
２９    制御部
２Ｂ    記録部
７２    カメラ（第１カメラ）
７５    郵便物センサ
７６    制御部
【図２】
2011155375.tif 000003
【図３】
2011155375.tif 000004
【図４】
2011155375.tif 000005
【図５】
2011155375.tif 000006
【図１】
2011155375.tif 000007
【図６】
2011155375.tif 000008
【図７】
2011155375.tif 000009
【図８】
2011155375.tif 000010
【図９】
2011155375.tif 000011
【図１０】
2011155375.tif 000012
【手続補正書】
【提出日】平成22年1月29日(2010.1.29)
【手続補正１】
【補正対象書類名】図面
【補正対象項目名】図５
【補正方法】変更
【補正の内容】
【図５】
2011155375.tif 000013